(57)【要約】【課題】  走行中の自動二輪車における前輪の振れを円滑な減衰作用で減衰し得るのはもちろんのこと、全体重量の軽減化に寄与すると共に、製品コストの低廉化に寄与する。【解決手段】  ハウジング１内に揺動可能に収装のベーン２によって画成される左右の油室Ｒ１，Ｒ２を連通する流路Ｌ１，Ｌ２に連通して最揺動状態のベーン２が反転して揺動を開始するときのベーン２における受圧面の確保を保障する前室Ａ１，Ａ２を有してなるロータリダンパにおいて、前室Ａ１，Ａ２がこの前室Ａ１，Ａ２に連通しながらこの前室Ａ１，Ａ２よりも浅く形成された溝部Ｇ１，Ｇ２に連通すると共に、この溝部Ｇ１，Ｇ２の底面に左右の油室Ｒ１，Ｒ２を連通する流路Ｌ１，Ｌ２を開口させてなる。【選択図】        図１
2006226340.tif 000002
【特許請求の範囲】
【請求項１】
ハウジング内に揺動可能に収装のベーンによって画成される左右の油室を連通する流路に連通して最揺動状態のベーンが反転して揺動を開始するときのベーンにおける受圧面の確保を保障する前室を有してなるロータリダンパにおいて、前室がこの前室に連通しながらこの前室よりも浅く形成された溝部に連通すると共に、この溝部の底面に左右の油室を連通する流路を開口させてなることを特徴とするロータリダンパ
【発明の詳細な説明】
【技術分野】
【０００１】
この発明は、ロータリダンパに関し、特に、ベーン型のロータリダンパにおける改良に関する。
【背景技術】
【０００２】
近年の自動二輪車におけるステアリング機構にあっては、ロータリダンパを有していて、走行中における前輪の振れをロータリダンパで減衰する提案が、たとえば、特許文献１に開示されている。
【０００３】
ちなみに、この特許文献１に開示のロータリダンパを回路図で示すと、たとえば、図２に示すように、ハウジング１内にベーン２で画成された言わば左右の油室Ｒ１，Ｒ２を有すると共に、ベーン２が左右の油室Ｒ１，Ｒ２の連通を許容するオリフィス２ａを有してなり、ベーン２の揺動時に左右の油室Ｒ１，Ｒ２がオリフィス２ａを介して連通して広狭するときに、所定の減衰作用が発現されるとしている。
【０００４】
なお、図中の符号４，５，６，７は、左右の油室Ｒ１，Ｒ２からの作動油がバイパス路たる流路Ｌ１，Ｌ２を介して単一の減衰バルブ１０およびこの減衰バルブ１０に並列するリリーフバルブＶを通過することになるようにいわゆる流れの向きを整えるもので、上記の流路Ｌ１，Ｌ２には油温補償用のアキュムレータＡが接続されている。
【０００５】
以上のように構成されているこの特許文献１に開示のロータリダンパにあっては、上記のオリフィス２ａを迂回して左右の油室Ｒ１，Ｒ２を連通させる流路Ｌ１，Ｌ２の開口端が最揺動したベーン２の側面に近隣して開口する、すなわち、最揺動したベーン２が左右の油室Ｒ１，Ｒ２を画成するハウジング１の周壁に隣接する状態になるときに、ベーン２のいわゆる側面とハウジング１の周壁との間に画成される小さな空間に開口するとしている。
【０００６】
それゆえ、ベーン２が最揺動してその側面がハウジング１の周壁に隣接する状態になると、この状態から反転して揺動を開始するときの受圧面が極端に小さくなり、円滑な揺動開始を具現化できなくなる危惧がある。
【０００７】
そこで、図３に示すように、ハウジング１内にベーン２で左右の油室Ｒ１，Ｒ２を画成すると共に、同じく図３中に仮想線図で示すように、ベーン２が最揺動してその側面がハウジング１の周壁部１ａに隣接するとき、流路を底面に開口させるいわゆる前室Ａ１，Ａ２を同じくハウジング１内にベーン２で画成するとの提案をなし得ることになる。
【０００８】
そして、このときに、前室Ａ１，Ａ２を可能な限り大きく採ることで、ベーン２に対する受圧面を大きくし得ることになり、それゆえ、この提案による場合には、ベーン２が最揺動した状態から反転して揺動を開始するときに円滑な揺動開始を具現化できることになる。
【特許文献１】特開２００１−９９２０８号公報（明細書中の段落０００２，同０００７から同０００９，図５）
【発明の開示】
【発明が解決しようとする課題】
【０００９】
しかしながら、上記した提案たる図３に示すロータリダンパにあっては、収容される作動油における油量が多くなるために、その削減が期待され、また、製品コストの低減も望まれている。
【００１０】
すなわち、上記した図３に示すロータリダンパにあっては、左右の油室Ｒ１，Ｒ２の連通を許容する流路Ｌ１，Ｌ２（図２参照）を前室Ａ１，Ａ２に開口させるとしているから、この前室Ａ１，Ａ２が勢い大きく形成されることになり、このとき、この前室Ａ１，Ａ２が左右の油室Ｒ１，Ｒ２をベーン２の揺動方向に膨大化させる態様に形成されることになる。
【００１１】
その結果、この図３に示すロータリダンパにあっては、前室Ａ１，Ａ２を有する分、前記した特許文献１に開示のロータリダンパに比較して、収容される作動油の油量が多くなり、したがって、作動油の油量の削減、全体重量の軽減化および製品コストの低廉化が望まれることになる。
【００１２】
この発明は、上記した事情を鑑みて創案されたものであって、その目的とするところは、走行中の自動二輪車における前輪の振れを円滑な減衰作用で減衰し得るのはもちろんのこと、全体重量の軽減化に寄与すると共に、製品コストの低廉化に寄与して、その汎用性の向上を期待するのに最適となるロータリダンパを提供することである。
【課題を解決するための手段】
【００１３】
上記した目的を達成するために、この発明によるロータリダンパの構成を、請求項１にあっては、ハウジング内に揺動可能に収装のベーンによって画成される左右の油室を連通する流路に連通して最揺動状態のベーンが反転して揺動を開始するときのベーンにおける受圧面の確保を保障する前室を有してなるロータリダンパにおいて、前室がこの前室に連通しながらこの前室よりも浅く形成された溝部に連通すると共に、この溝部の底面に左右の油室を連通する流路を開口させてなるとする。
【発明の効果】
【００１４】
それゆえ、請求項１の発明にあっては、最揺動状態のベーンが反転して揺動を開始するときのベーンにおける受圧面の確保を保障する前室がこの前室に連通しながらこの前室よりも浅く形成された溝部に連通すると共に、ハウジング内にベーンで画成される左右の油室を連通する流路を溝部の底面に開口させるとするから、前室の形成によって最揺動した状態のベーンが反転して円滑な揺動を開始するときに必要なベーンに対する受圧面を可能な限り大きく採ることが可能になる一方で、前室の言わば底面に流路を開口させる場合に比較して、前室の占有面積を小さくでき、したがって、いわゆる前室部分に収容される作動油の油量を少なくできることになる。
【００１５】
その結果、この発明によれば、ロータリダンパ全体としてみるとき、必要とする作動油の油量を少なくでき、その分、重量の軽減化に寄与すると共に、製品コストの低廉化に寄与するこことになる。
【発明を実施するための最良の形態】
【００１６】
以下に、図１に示した実施形態に基づいて、この発明を説明するが、この発明によるロータリダンパにあっても、これを回路図で見ると、前記した図２に示すところと同様になる。
【００１７】
そこで、改めて図示せずして、図２に示すところを参考にしつつこの発明を説明するが、この発明によるロータリダンパにあっても、前記した特許文献１に開示のロータリダンパと同様に、自動二輪車のステアリング機構を形成するとしている。
【００１８】
すなわち、この発明によるロータリダンパは、まず、ハウジング１内に揺動可能に収装のベーン２でこのベーン２を挟んで左右となる油室Ｒ１，Ｒ２を画成すると共に、ベーン２の揺動時に広狭するこの左右の油室Ｒ１，Ｒ２間における作動油の流通を許容する流路Ｌ１，Ｌ２（図２参照）を有してなるとしている。
【００１９】
このとき、ハウジング１は、図示しないが、たとえば、自動二輪車における前輪を保持するフロントフォークの上端部に連結されたアッパーブラケットに一体的に保持され、ベーン２は、このハウジング１を液密構造下に貫通する基軸たるシャフト３に枢着され、このシャフト３は、図示しないが、自動二輪車における車体側にリンク機構などの介在下に連結されるとしている。
【００２０】
それゆえ、自動二輪車において、たとえば、ハンドル操作されることで、車体側に対してフロントフォークを保持するアッパーブラケット側が揺動されるようになるときには、このロータリダンパにあって、相対的に看てハウジング１内でベーン２が揺動するようになり、ハウジング１内にベーン２で画成される左右の油室Ｒ１，Ｒ２が広狭されることになる。
【００２１】
そして、この広狭される左右の油室Ｒ１，Ｒ２を連通する流路Ｌ１，Ｌ２中に減衰バルブ１０（図２参照）が配在されているとき、この減衰バルブ１０を作動油が通過することで、所定の減衰作用が発現されることになる。
【００２２】
そしてまた、上記の広狭される左右の油室Ｒ１，Ｒ２を連通する流路Ｌ１，Ｌ２が減衰バルブ１０を迂回するリリーフバルブＶ（図２参照）を有しているとき、このリリーフバルブＶがベーン２の高速下での揺動を許容し、さらには、油温補償機構を形成するアキュムレータＡ（図２参照）に連通するとき、左右の油室Ｒ１，Ｒ２における異常高圧化を阻止することが可能になる。
【００２３】
なお、このロータリダンパにおける減衰作用の発現に関しては、ベーン２が左右の油室Ｒ１，Ｒ２の連通を許容するオリフィス２ａを有しており、ベーン２の揺動時にこのオリフィス２ａを作動油が通過することで所定の減衰作用が発現されるとしても良い。
【００２４】
また、減衰作用を発現させる構成について、たとえば、上記した流路Ｌ１，Ｌ２に配在の減衰バルブ１０が外部操作によって減衰作用の強弱を調整し得るように設定されてなるとしても良く、さらには、ベーン２とハウジング１との間における隙間流れを利用するとしても良い。
【００２５】
つぎに、この発明によるロータリダンパにあっては、ハウジング１内に揺動可能に収装のベーン２によって左右の油室Ｒ１，Ｒ２を画成する一方で、ベーン２が、図中に仮想線図で示すように、最揺動状態となってハウジング１における周壁部１ａに隣接する状態になるとき、このベーン２によって前室Ａ１，Ａ２が左右の油室Ｒ１，Ｒ２をベーン２の揺動方向に膨大化させる態様に画成されるとしている。
【００２６】
そして、このロータリダンパにあっては、この前室Ａ１，Ａ２が画成されることで、最揺動状態のベーン２が反転して円滑な揺動を開始するときに必要なベーン２に対する受圧面を可能な限り大きく採ることが可能になる。
【００２７】
その一方で、このロータリダンパにあっては、前室Ａ１，Ａ２がこの前室Ａ１，Ａ２に連通しながらこの前室Ａ１，Ａ２よりも浅く形成された溝部Ｇ１，Ｇ２に連通するとしており、この溝部Ｇ１，Ｇ２の底面に左右の油室Ｒ１，Ｒ２を連通する流路Ｌ１，Ｌ２を開口させてなるとしている。
【００２８】
この流路Ｌ１，Ｌ２が溝部Ｇ１，Ｇ２における底面に開口することで、前室Ａ１，Ａ２に対する流路Ｌ１，Ｌ２の連通が可能とされる一方で、流路Ｌ１，Ｌ２の開口を底面に開口させる溝部Ｇ１，Ｇ２が前室Ａ１，Ａ２によりも浅く形成されているから、たとえば、前記した図２に示すロータリダンパにおいて、前室Ａ１，Ａ２の底面に流路Ｌ１，Ｌ２を開口させる場合に比較して、前室Ａ１，Ａ２が占有する面積を小さくでき、したがって、前室Ａ１，Ａ２部分に収容される作動油の油量を少なくできることになる。
【００２９】
その結果、この発明のロータリダンパによれば、全体としてみるとき、必要とする作動油の油量を少なくでき、その分、重量の軽減化に寄与すると共に、製品コストの低廉化に寄与するこことになる。
【００３０】
のみならず、この発明のロータリダンパによれば、作動油の油量を少なくできるから、作動油の油温が上昇したときの油温補償のためのアキュムレータＡを小さくし得ることになり、この点からしても、ロータリダンパにおける全体重量の軽減化に、また、製品コストの低減化に寄与することになる。
【００３１】
前記したところでは、この発明によるロータリダンパが自動二輪車におけるステアリング構造を形成するとして説明したが、この発明に意図するところからすれば、この発明によるロータリダンパが自転車におけるステアリング構造を形成するとしても横とはもちろんである。
【図面の簡単な説明】
【００３２】
【図１】この発明によるロータリダンパを平面視で示す横断面図である。
【図２】特許文献１に開示のロータリダンパを回路で示す図である。
【図３】従来例としてのロータリダンパを図１と同様に示す図である。
【符号の説明】
【００３３】
１  ハウジング
２  ベーン
Ａ１，Ａ２  前室
Ｇ１，Ｇ２  溝部
Ｌ１，Ｌ２  流路
Ｒ１，Ｒ２  油室
【図１】
2006226340.tif 000003
【図２】
2006226340.tif 000004
【図３】
2006226340.tif 000005